(57)【要約】【課題】嵩張ることなく安定した積み重ね状態にすることができる看板立てを提供する。【解決手段】本発明の看板立て１は、起立状態に立てて使用される立て枠２と、該立て枠２の左右方向外側に水平軸９ａ、９ｂの回りを回動可能として取付けられた一対の脚フレーム６ａ、６ｂを有し、その両脚フレーム６ａ、６ｂが該立て枠２と並んで立て枠２の左右外側に位置する閉脚状態と下部が立て枠２の後側に開く開脚状態とに姿勢変更可能な脚部３とを具備する。【選択図】図１
2008040148.tif 000002
【特許請求の範囲】
【請求項１】
起立状態に立てて使用される立て枠と、
該立て枠の左右方向外側に水平軸の回りを回動可能として取付けられた一対の脚フレームを有し、その両脚フレームが該立て枠と並んで立て枠の左右外側に位置する閉脚状態と下部が立て枠の後側に開く開脚状態とに姿勢変更可能な脚部とを具備することを特徴とする看板立て。
【請求項２】
請求項１に記載の看板立てにおいて、
前記立て枠は少なくとも左右両側部に、前記脚フレームが回動可能に取付けられた縦フレームを有し、かつ上記縦フレームと上記脚フレームとを貫通するように前記水平軸が設けられていることを特徴とする看板立て。
【請求項３】
請求項２に記載の看板立てにおいて、
前記脚部は、前記左右一対の脚フレームの間を連結する連結フレームを有し、その連結フレームが前記脚フレームの長手方向にほぼ平行な第１辺とその長手方向にほぼ直交する第２辺とを有する断面Ｌ字状のもので、その第２辺における縦フレームの後部に当接する箇所が、脚フレームを縦フレームに平行となるよう切欠かれていて、その切欠部に対応する第１辺が、脚部下部を閉じることにより前記縦フレームの後部に当接し、両脚フレームが前記閉脚状態になることを特徴とする看板立て。
【請求項４】
請求項１乃至３のいずれか一つに記載の看板立てにおいて、
前記脚部の下部が前記立て枠の後側に開く角度を規制するストッパが設けられていることを特徴とする看板立て。
【発明の詳細な説明】
【技術分野】
【０００１】
本発明は、例えば工事中であることを示す標識や、工事や野球の試合等に際しての注意事項、或いは店舗名や商品名などの看板を貼着するために用いられる看板立てに関する。ここで、看板とは、標識、注意事項、店舗名、商品名などを含むものを言う。
【背景技術】
【０００２】
上述した看板立てとして、看板が貼着される立て枠と、その立て枠を支持するための脚部とを有し、立て枠及び脚部が同じ方向に湾曲したものや直線状に形成されたものが知られている（例えば特許文献１等参照）。
【０００３】
立て枠及び脚部が直線状に形成された看板立てとしては、図５（斜め後から見た図）に示すように、左右両側部の縦フレーム１０１の間が横フレーム１０２により連結された立て枠１００を有し、その縦フレーム１０１の高さ方向の途中位置に設けられた水平軸１０３に対し、脚部１１０の上部１１１が回動可能に取付けられ、脚部１１０の下部１１２が立て枠１００の後側に開くように構成されている。
【特許文献１】特開平０８−０７６７０５号公報
【発明の開示】
【発明が解決しようとする課題】
【０００４】
ところで、上述した従来の看板立てによる場合には、脚部１１０の上部１１１が立て枠１００の縦フレーム１０１の後側で回動可能に取付けられているので、脚部１１０を立て枠１００に平行にして仕舞うとき、図６に示すように立て枠１００の前後方向に脚部１１０が重なり、多数の看板立てを運搬するときに嵩張ってしまう。また、立て枠１００の前後方向に凹凸ができるため、安定して重ねることができないという不都合もあった。なお、このような不都合は、立て枠及び脚部が同じ方向に湾曲した看板立ての場合（特許文献１）に、より顕著である。
【０００５】
本発明は、このような従来技術の課題を解決するためになされたものであり、嵩張ることなく安定した積み重ね状態にすることができる看板立てを提供することを目的とする。
【課題を解決するための手段】
【０００６】
本発明の請求項１に係る看板立ては、起立状態に立てて使用される立て枠と、該立て枠の左右方向外側に水平軸の回りを回動可能として取付けられた一対の脚フレームを有し、その両脚フレームが該立て枠と並んで立て枠の左右外側に位置する閉脚状態と下部が立て枠の後側に開く開脚状態とに姿勢変更可能な脚部とを具備することを特徴とする。
【０００７】
本発明の請求項２に係る看板立ては、請求項１に記載の看板立てにおいて、前記立て枠は少なくとも左右両側部に、前記脚フレームが回動可能に取付けられた縦フレームを有し、かつ上記縦フレームと上記脚フレームとを貫通するように前記水平軸が設けられていることを特徴とする。
【０００８】
本発明の請求項３に係る看板立ては、請求項２に記載の看板立てにおいて、前記脚部は、前記左右一対の脚フレームの間を連結する連結フレームを有し、その連結フレームが前記脚フレームの長手方向にほぼ平行な第１辺とその長手方向にほぼ直交する第２辺とを有する断面Ｌ字状のもので、その第２辺における縦フレームの後部に当接する箇所が、脚フレームを縦フレームに平行となるよう切欠かれていて、その切欠部に対応する第１辺が、脚部下部を閉じることにより前記縦フレームの後部に当接し、両脚フレームが前記閉脚状態になることを特徴とする。
【０００９】
本発明の請求項４に係る看板立ては、請求項１乃至３のいずれか一つに記載の看板立てにおいて、前記脚部の下部が前記立て枠の後側に開く角度を規制するストッパが設けられていることを特徴とする。
【発明の効果】
【００１０】
本発明による場合には、脚フレームが立て枠の左右方向外側に水平軸の回りを回動可能に取付けられているので、両脚フレームが立て枠と並んで立て枠の左右外側に位置する閉脚状態に仕舞うことができる。よって、閉脚状態のとき脚フレームが立て枠の前後方向に飛び出さず、重ねるときに嵩張ることがない。また、閉脚状態で立て枠の前後方向に凹凸がないため、安定した積み重ねが可能になる。
【００１１】
請求項２による場合には、水平軸を、立て枠の縦フレームと脚フレームとを貫通するように設ければよい。よって、例えば縦フレームと脚フレームとのうちの一方に水平軸用の凸部を他方にそれを受け入れる凹部を設ける場合よりも、簡単な機構にすることができる。
【００１２】
請求項３による場合には、左右の脚フレームが連結されているので、左右それぞれの脚フレームを別々に開閉する必要がなく、簡単な開閉が可能になる。加えて、脚部の連結フレームに、脚フレームの長手方向にほぼ平行な第１辺と、その長手方向にほぼ直交する第２辺とを有する、断面Ｌ字状のチャンネル鋼材を用いても、第２辺における縦フレームの後部に当接する箇所が切欠かれていて、縦フレームの後部に第１辺が当接するため、脚部が立て枠の前後方向に飛び出すことがない。よって、重ねるときに嵩張ることがなく、安定した積み重ねが可能になる。
【００１３】
請求項４による場合には、ストッパが脚部下部の後側へ開く角度を規制するので、脚部の開く角度を、立て枠を安定して起立状態に保持できる角度に設定することで、立て枠の起立状態を安定化させ得る。
【発明を実施するための最良の形態】
【００１４】
以下に、本発明を具体的に説明する。
【００１５】
図１は、本発明の一実施形態に係る看板立てを立てた状態を、斜め後方向から見た外観図である。
【００１６】
この看板立て１は、立て枠２と脚部３とを具備する。立て枠２は、起立状態に立てて使用されるもので、左右両側部に真っ直ぐな縦フレーム４ａ、４ｂを有し、前側から見て左側（図１の右側）の縦フレーム４ａと同じく右側（図１の左側）の縦フレーム４ｂとの間が複数、例えば３つの横フレーム５ａ、５ｂ、５ｃで連結されている。横フレーム５ａは一番上のもので、横フレーム５ｃは一番下のもので、横フレーム５ｂは中間高さのものである。この立て枠２の前側には、例えば工事中であることを示す標識や、工事や野球の試合等に際しての注意事項、或いは店舗名や商品名などの看板が貼着等される。
【００１７】
脚部３は、左右一対の真っ直ぐな脚フレーム６ａ、６ｂと、これら両脚フレーム６ａ、６ｂの下部の間を連結する連結フレーム８とを有し、全体として概略コの字状に形成されている。上記脚フレーム６ａ、６ｂの上端部には、ストッパ１０ａ、１０ｂが設けられている。
【００１８】
図２は、前側から見て右側の脚フレーム６ｂの取付け状態を示す。なお、前側から見て左側の脚フレーム６ａの取付け状態は、図２とは左右対称の位置関係である。
【００１９】
上記ストッパ１０ａは平面視で概略コの字状に形成されていて、一方の端部１１ａと他方の端部１２ａとは平行に、これらの間の連結部１３ａは端部１１ａ、１２ａとほぼ直交する。また、連結部１３ａは端部１１ａ、１２ａよりも低く形成されている。
【００２０】
上記ストッパ１０ｂも平面視で概略コの字状に形成されていて、一方の端部１１ｂと他方の端部１２ｂとは平行に、これらの間の連結部１３ｂは端部１１ｂ、１２ｂとほぼ直交する。また、連結部１３ｂは端部１１ｂ、１２ｂよりも低く形成されている。
【００２１】
上記ストッパ１０ａの内側には、端部１２ａ側（前から見て左側）に脚フレーム６ａを配するとともに端部１１ａ側（前から見て右側）に縦フレーム４ａを配し、ストッパ１０ａは脚フレーム６ａに対し、脚フレーム６ａの後面と連結部１３ａとを接触させて溶接等により固定されている。ストッパ１０ａの端部１１ａと端部１２ａとにわたりかつ脚フレーム６ａおよび縦フレーム４ａを貫通して水平軸９ａが設けられている。よって、脚フレーム６ａは縦フレーム４ａに対し、水平軸９ａを介してストッパ１０ａと一緒に開閉可能な状態となる。
【００２２】
一方、上記ストッパ１０ｂの内側には、端部１２ｂ側（前から見て右側）に脚フレーム６ｂを配するとともに端部１１ｂ側（前から見て左側）に縦フレーム４ｂを配し、ストッパ１０ｂは脚フレーム６ｂに対し、脚フレーム６ｂの後面と連結部１３ｂとを接触させて溶接等により固定されている。ストッパ１０ｂの端部１１ｂと端部１２ｂとにわたりかつ脚フレーム６ｂおよび縦フレーム４ｂを貫通して水平軸９ｂが設けられている。よって、脚フレーム６ｂは縦フレーム４ｂに対し、水平軸９ｂを介してストッパ１０ｂと一緒に開閉可能な状態となる。なお、脚フレーム６ａ、６ｂの前後方向長さＬ１と縦フレーム４ａ、４ｂの前後方向長さＬ２とは、同一に設定されている。
【００２３】
また、ストッパ１０ａの連結部１３ａの上端１４ａは、図３に示すように水平軸９ａの軸心位置よりも高さＨだけ低く、ストッパ１０ｂの連結部１３ｂの上端１４ｂも水平軸９ｂの軸心位置よりも高さＨだけ低く設定されている。これにより、脚部３の下部を立て枠２の後側に開いていくと、図３に矢印にて示すように上端１４ｂ（１４ａ）は縦フレーム４ｂ（４ａ）の後面から離れた後に接近する動きとなる。そして、上端１４ｂ（１４ａ）が縦フレーム４ｂ（４ａ）の後面に当接するまで開くことができる。一方、脚部３を閉じていくと、縦フレーム４ｂ（４ａ）の後面に連結フレーム８が当接する。
【００２４】
上記連結フレーム８は、本実施形態では脚フレーム６ａ、６ｂの長手方向にほぼ平行な第１辺８ａと、その長手方向にほぼ直交する第２辺８ｂとを有する、断面Ｌ字状のチャンネル鋼材を用いて形成されており、その長手方向にほぼ直交する第２辺８ｂにおける縦フレーム４ａ、４ｂの後側に当接する箇所は切欠部８ｃ、８ｄとなっている。これら切欠部８ｃ、８ｄは、脚フレーム６ａ、６ｂが縦フレーム４ａ、４ｂと平行になるように形成されている。
【００２５】
よって、脚部３は、連結フレーム８の切欠部８ｃ、８ｄが縦フレーム４ａ、４ｂの後側に当接する閉脚状態（図４参照）と、脚部３の下部が立て枠２の後側に開いてストッパ１０ａ、１０ｂの上端１４ａ、１４ｂが縦フレーム４ａ、４ｂの後面に当接する開脚状態（図１〜図３参照）とにわたり姿勢変更できる。閉脚状態において、脚フレーム６ａは、縦フレーム４ａと並んだ状態で縦フレーム４ａの左外側に、脚フレーム６ｂは縦フレーム４ｂと並んだ状態で縦フレーム４ｂの右外側にそれぞれ位置する。
【００２６】
このように構成された本実施形態の看板立て１にあっては、脚フレーム６ａ、６ｂの上部７ａ、７ｂが、縦フレーム４ａ、４ｂの左右方向外側に位置する状態で縦フレーム４ａ、４ｂに回動可能に取付けられているので、図４に示すように脚部３を縦フレーム４ａ、４ｂと平行に（閉脚状態に）なるように仕舞うと、脚部３が立て枠２の左右方向外側に位置し、重ねるときに嵩張ることがない。また、前後方向において凹凸が殆どなく安定した積み重ねが可能になる。
【００２７】
また、本実施形態において、立て枠２の左右に脚フレーム６ａ、６ｂが設けられているので、安定した起立姿勢を保持することが可能になる。また、左右の脚フレーム６ａ、６ｂが連結フレーム８で連結されているので、左右それぞれの脚フレーム６ａ、６ｂを別々に開閉する必要がなく、簡単な開閉が可能になる。更に、本実施形態においては、脚部３の連結フレーム８に、脚フレーム６ａ、６ｂの長手方向にほぼ平行な第１辺８ａと、その長手方向にほぼ直交する第２辺８ｂとを有する、断面Ｌ字状のチャンネル鋼材を用いても、第２辺８ｂにおける縦フレーム４ａ、４ｂの後部に当接する箇所に切欠部８ｃ、８ｄが設けられているので、縦フレーム４ａ、４ｂの後部に第１辺８ａが当接することになり、脚部３が立て枠２の前後方向に飛び出すことがない。よって、重ねるときに嵩張ることがなく、安定した積み重ねが可能になる。
【００２８】
なお、上述した実施形態では、脚部３として左右一対の脚フレーム６ａ、６ｂの間が連結フレーム８により連結された構成のものを用いているが、本発明はこれに限らない。例えば、連結フレーム８が省略されていて、左右一対の脚フレーム６ａ、６ｂが別々に独立して開閉する機構であってもよく、或いは、脚フレーム６ａ、６ｂの一方が省略された構成であってもよい。
【００２９】
また、上述した実施形態では、立て枠２として、左右両側部の縦フレーム４ａ、４ｂの間が横フレーム５ａ、５ｂ、５ｃで連結された構成のものを用いているが、本発明はこれに限らない。例えば、左右両側部の縦フレーム４ａ、４ｂの間が板材により連結された構成、或いは、左右両側部の縦フレーム４ａ、４ｂの前側に板が取付けられた構成、つまり縦フレーム４ａ、４ｂの左右方向外側に脚フレーム６ａ、６ｂが回動可能に取付けられる構成としてもよい。
【００３０】
更に、上述した実施形態では、ストッパ１０ａ、１０ｂを脚フレーム６ａ、６ｂに固定し、ストッパ１０ａ、１０ｂと脚フレーム６ａ、６ｂとを一体化しているが、本発明はこれとは逆に、ストッパ１０ａ、１０ｂを縦フレーム４ａ、４ｂに固定し、ストッパ１０ａ、１０ｂと縦フレーム４ａ、４ｂとを一体化した構成としてもよい。
【図面の簡単な説明】
【００３１】
【図１】本発明の一実施形態に係る看板立てを立てた状態を、斜め後から見た外観図である。
【図２】前側から見て右側の脚フレームの取付け状態を示す斜視図である。
【図３】ストッパの動作説明図である。
【図４】脚フレームを縦フレームと平行になるように仕舞った状態を示す側面図である。
【図５】従来例の看板立てを示す外観図である。
【図６】図５の看板立ての脚部を縦フレームと平行になるように仕舞った状態を示す側面図である。
【符号の説明】
【００３２】
１    看板立て
２    立て枠
３    脚部
４ａ、４ｂ    縦フレーム
６ａ、６ｂ    脚フレーム
８    連結フレーム
８ａ    第１辺
８ｂ    第２辺
８ｃ、８ｄ    切欠部
９ａ、９ｂ    水平軸
１０ａ、１０ｂ    ストッパ
【図１】
2008040148.tif 000003
【図２】
2008040148.tif 000004
【図３】
2008040148.tif 000005
【図４】
2008040148.tif 000006
【図５】
2008040148.tif 000007
【図６】
2008040148.tif 000008